(57)【特許請求の範囲】
【請求項１】
支持体上に配置された少なくとも一層のハロゲン化銀乳剤層を有する写真要素であって、
前記要素が写真的活性成分の非像様分布を与える放出化合物を含み、
前記放出化合物が次の構造を有し：
【化１】
0003542662.tif 000053
［式中、
Ｘは、置換もしくは非置換の炭素原子、または窒素原子（但し、環には４個以上の窒素原子は存在しない）を含む、５員もしくは６員の芳香族環を完成するのに必要な原子を表わし、Ｘが炭素環である場合は、複素環もしくは他の炭素環と縮合していてもよく；
Ｒ1は、電子求引性成分であり；
ｍは、０、１、２もしくは３であり；
ＴＩＭＥは、タイミング基であり；
ｎは、０、１、２もしくは３であり；
ＰＡＭは、処理浴中の求核性試薬であって、酸素もしくは窒素求核性試薬以外のイオンである求核性試薬との反応により非像様に放出される写真的活性成分である］；そして、
前記放出化合物がカプラー部分以外のバラスト化基および水可溶化基をさらに含み、前記バラスト化基は、直接または間接的にＴＩＭＥもしくはＸに結合されており、そして前記水可溶化基は、直接もしくは間接的にＴＩＭＥに結合されているか、または少なくとも一つの炭素原子を介して間接的にＸに結合されている写真要素。
【発明の詳細な説明】
【０００１】
【産業上の利用分野】
本発明は、ハロゲン化銀写真要素に関し、特に、画像改良化合物の非像様分布を提供する放出化合物を含有する写真要素に関する。
【０００２】
【従来の技術】
ハロゲン化銀カラー写真材料では、酸化されたハロゲン化銀現像主薬とカプラーとして知られている色素先駆物質との反応により画像を形成する。この画像形成においては、現像液もしくは写真材料それ自体のいずれかに画像改良化合物を混ぜることが、当該技術分野では比較的一般的な慣例となっている。これらの画像改良化合物は、鮮鋭度、粒状度、コントラストおよび色再現等の写真特性に影響を与えることができる。
【０００３】
現像液に画像改良化合物を混ぜると、複数の、乳剤、フィルターもしくは支持体層を通して拡散しなければならないので、写真要素に十分な影響を与えるこの化合物の能力を一般的に制限する。対照的に、写真材料に画像改良化合物を直接混ぜると、それ等の化合物が、早まって写真要素の他の成分と相互作用するか、もしくは保存中に分解するので、望ましくない画像再現が生じる。
【０００４】
従って、これらの画像改良化合物をカプラー部分に結合し、写真材料の現像時に像様にこれらを放出することが認められている。しかし、この方法は、画像改良化合物の存在を必要とするときは必ず画像形成が必要となり（カプラー部分が酸化された現像主薬と反応するので）、そしてこの画像改良化合物の像様放出のみを提供するという二重の欠点を有する。
【０００５】
最近、写真材料に画像改良化合物を組込む別法が知られるようになった。画像改良化合物は、一般的に水酸化物イオンに曝された後に離れるタイミング基、いくつかの他の基と反応させた後に離れるブロック化基、もしくはそれら二つ基の組合せにより不活性にされている。そのような画像改良化合物およびそれらの不活性基の具体的な例は、例えば、米国特許第４，２４８，９６２号、同４，４０９，３２３号、同４，６８４，６０４号、同５，０３４，３１１号、同５，２８３，１６２号；欧州特許出願第０１６７１６８号；および米国特許第５，３５４，６５０号各明細書に記載されている。
【０００６】
タイミング基は水酸化物イオンに曝された後、結合している化合物を放出するので、単独で用いると、早まって、一般的な含水写真乳剤中に放出する。そのような早期の放出は、画像改良化合物をそれ等の初期の場所から離れて拡散させるであろうし、現実的でない画像改良化合物が作用する場所をコントロールするであろう。このため、多くの場合、タイミング基を用いる画像改良化合物は好ましくない。
【０００７】
多くの場合、既知のブロック化基を用いる画像改良化合物もまた好ましくない。しかし、この理由は、それ等の放出速度（それ等が脱ブロックして活性な画像改良化合物を写真材料に曝す速度）および／もしくは保存安定性が一般的にｐＨ依存であるということである。即ち、公知のブロック化基は、高アルカリ性（ｐＨ＞１３）アクチベーター液を用いる場合のみ、実際的に活動可能である。このことは、最近の商業的な処理（特に、カラーリバーサル分野）に適さないので、そのような化合物の使用を全く実施不可能にした。
【０００８】
さらに、長期貯蔵中に写真材料内で移動することができる、米国特許第５，１１６，７１７号明細書に記載されているような公知のブロック化画像改良化合物が見出されている。この化合物は、現像時に画像改良化合物が完全に洗い流され、意図する以外の場所で画像改良化合物が脱ブロックする（従って、写真材料に有害な影響を与える）ことが有り得る。
【０００９】
米国特許第５，３５４，６５０号明細書記載のブロックされた画像改良化合物は、バラスト化されているが、像様に、そしてそれが塗布されている層中で、もしくはそれが放出される形態で写真的に不活性である第二の化合物との反応後、提供される。従って、非像様に写真材料に画像改良化合物を与えることを所望する場合は、米国特許第５，３５４，６５０号明細書の教示では不適当である。さらに、この文献の化合物は、十分な水溶性を与えることができないので、通常処理浴に存在する求核活性試薬（即ち、亜硫酸塩）の存在下で、活性な画像改良化合物の放出は制限され、結果として効果的でない、不適当な画像改良となる。
【００１０】
【発明が解決しようとする課題】
従って、非像様に脱ブロックされ、画像改良を適切に制御する、新規なブロックされた画像改良化合物を含んでなる写真材料を提供することが、本発明の目的である。
【００１１】
【課題を解決するための手段】
以下の説明からわかるように、本発明の目的を、その上に配置される少なくとも一層のハロゲン化銀乳剤層を有する支持体を含んでなる写真要素であって、前記要素が写真的活性成分の非像様分布を与える放出化合物を含み、前記放出化合物は前記写真的活性成分を放出するブロック化基を含み、前記放出化合物がカプラー部分以外のバラスト化基および水可溶化基をさらに含み、前記バラスト化基および前記水可溶化基の両方が前記ブロック化基に結合している写真要素により達成する。
【００１２】
本発明に用いる新規なブロックされた画像改良化合物は、画像改良の強度および位置を特異的にコントロールする機会を提供する。さらに、この化合物を脱ブロック化して現像抑制剤を生成すると、リバーサルフィルムのプッシュ処理を非常に良くコントロールすることができる。
【００１３】
【具体的な態様】
本発明は、写真的活性成分の非像様分布を提供する放出化合物を含有する写真要素に関する。この放出化合物は、写真的活性成分を放出するブロック化基、カプラー部分以外のバラスト化基、および水可溶化基を含んでなり、このバラスト化基および水可溶化基の両方はブロック化基に結合されている。好ましくは、前記写真要素は、ブロック化基として非置換もしくは一種以上の電子求引性基で置換されている芳香族環系、および必要に応じて、写真的活性成分を放出するタイミング基もしくはタイミング基列を含んでなる。
【００１４】
「タイミング基」の用語は、当該技術分野で公知のいずれのタイミング基をも意味し、好ましくは、共役鎖に沿う電子移動もしくは環化反応（求核置換）により作用するものである。分解して、二酸化炭素もしくはホルムアルデヒド等の小分子を形成するその他の基も考えることができる。本発明と共に実施するのに適したタイミング基には、米国特許第４，２４８，９６２号；同４，４０９，３２３号；同４，６８４，６０４号；同５，０３４，３１１号および同５，０５５，３８５号；並びに欧州特許出願第０１６７１６８号各明細書に開示されるタイミング基が含まれる。特に複合的なタイミング基が考えられ、それ等は同一であっても異なっていてもよい。
【００１５】
指摘したように、好ましい放出化合物は、タイミング基がない場合は、写真的活性成分を放出する芳香族環系を有する。少なくとも一つのタイミング基がある場合は、前記芳香族環系は、タイミング基および写真的活性成分の両方を放出する。その後、このタイミング基はその放出プロフィールに従って写真的活性成分を放出する。
【００１６】
「芳香族環系」の用語は、少なくとも一つの芳香族環を有する基を意味し、好ましくは、写真的活性成分もしくはタイミング基を放出する、５員、６員もしくは７員環である。この芳香族環系は、一環もしくは多環式となることができる。それ等は全て炭素原子から成ることができ、もしくはヘテロ芳香族環系を形成するようにヘテロ原子を含むことができる。芳香族環系の具体例には、ベンゼン、ピリジン、ピロール、フラン、チオフェン、イミダゾール、チアゾール、オキサゾール、ピラゾール、イソチアゾール、イソオキサゾール、トリアゾール、テトラゾール、ピリミジン、ピラジン、および類似の環が含まれる。さらに、それ等の環は置換されていてもよい。置換基には、ハロゲン、アルキル、アルケニル、アルキニル、アリール、ヘテロアリール、カルボキシ、カルボンアミド、スルホンアミド、ニトロ、シアノフルオロアルキル、フルオロスルホニル、アミノ、スルファミル、カルバミル、ホルミル、アリールカルボニル、アルキルカルボニル、カルボキシアリール、カルボキシアルキル、アルキル−カルボンアミド、アリールカルボンアミド、フルオロアリールスルホニル、フルオロアルキルスルホニル、アリールオキシ、アルキルオキシ、アリールチオ、アルキルチオ、ホスフェニル、等が含まれる。他の適切な置換基には、オキソ、イミン、オキシイミノ、アルキリデン、アリーリジン、チオ、およびアジミノが含まれ、そして、存在する場合は、これらの置換基が写真的活性成分もしくはタイミング基が放出される環以外の環上にあるのが好ましい。
【００１７】
本発明に用いる芳香族環系は、タイミング基を有するかもしくは有しない写真的活性成分を放出する、少なくとも一つの５員、６員、もしくは７員の炭素環、非ヘテロ芳香族環を含むことが好ましい。前記炭素環は、好ましくは少なくとも二つの電子求引性基で置換されている。少なくとも一つの炭素環を有する、炭素環もしくは芳香族環系の好ましい例には、ベンゼン、ナフタレン、インデン、フルオレン、アントラセン、フェナントレン、インドール、イソインドール、ベンゾイミダゾール、ベンゾオキサゾール、ベンゾチアゾール、ベンゾフラン、ベンゾチオフェン、キノリン、イソキノリン、キノキサリン、キナゾリン、フタラジン、シンノリン、カルバゾール、ジベンゾフラン、ジベンゾチオフェン、等が含まれる。これらは、上記したように置換されていても、いなくてもよい。
【００１８】
また、本発明の好ましい放出化合物は、ブロック化基に結合されているバラスト化基を含む。従って、タイミング基もしくは芳香族環系のいずれか（もしくは両方）にバラスト化基を見出すことができる。それは、芳香族環上にあるのが好ましい。特定の場合では、芳香族環系が５員、６員もしくは７員の炭素環式非ヘテロ芳香族環であるとき、バラスト化基を写真的活性成分上に見つけることもできる。
【００１９】
当該技術分野で公知のバラスト化基が本発明には適している。好ましくは、それ等は、写真要素内で放出化合物が実質的に移動するのを防止する基である。移動は、貯蔵時および処理時の両方で制限される方がよい。好ましくは、バラスト化基は、一般的に少なくとも８、好ましくは少なくとも１２、より好ましくは少なくとも１５の隣接する原子を有し、置換または非置換の、アルキル、アリール、もしくはアラルキル基を有する巨大有機分子である。
【００２０】
本発明に適した公知のバラスト化基には、４−トリデシルオキシフェニル、４−（２，４−ジ−ｔ−ペンチル−フェノキシ）ブチル、３−ペンタデシルフェニル、ｎ−オクタデシル、５−テトラデシルカルボンアミド−２−クロロフェニル、５−（Ｎ−メチル−Ｎ−オクタデシルスルファモイル）−２−クロロフェニル、２−テトラデシル−オキシフェニルおよび４−ｔ−オクチルフェノキシフェニルが含まれる。これらの基、並びに本発明に用いることができる他のバラスト化基は、さらに水可溶化基を含むことができる。この場合、バラスト化基が水可溶化部分（基）を有し、芳香族環系に結合されているとき、この水可溶化部分を直接芳香族環系に結合することができない。その替り、少なくとも一つの炭素原子、好ましくは少なくとも三つの炭素原子、より好ましくは少なくとも五つの炭素原子を介して芳香族環系に間接的に結合されねばならない。また、バラスト化基および水可溶化基部分が、直線的にお互いに結合されていなく、むしろ介在する炭素原子から分岐することが好ましい。
【００２１】
バラスト化基が水可溶化基を含み、タイミング基に結合されている場合では、この水可溶化部分（基）が直接タイミング基に結合されていることが考えられる。しかし、バラスト化基に対する水可溶化部分の配向は、水可溶化基を有するバラスト化基が芳香族環系に結合している場合に上記したのと同じであることが好ましい。
【００２２】
好ましい態様では、放出化合物は、直接もしくは間接的にタイミング基に結合されているか、または少なくとも一つの炭素原子を介して芳香族環系に間接的に結合されている水可溶化基を含んでなる。「水可溶化基」の用語は、求核試薬含有処理浴で有効な速度で、芳香族環系の除去を促進することができるいずれの基も意味する。この基は、本来的に親水性を有する方がよく、もしくは処理条件下で実質的にイオン化できるようなものである方がよい。これらの例には、カルボン酸類；スルホンアミド類；チオール類；シアナミド類；ウレア類；スルホニルウレア類；イミド類；スルホン酸類；三つ以上の反復単位を有するポリエーテル類；アミンおよびポリアミン類；アンモニウム、スルホニウムもしくはホスホニウム基等のカチオンセンター；カルボンアミドもしくはホスホンアミド等のアミド類；アルコールもしくは多価アルコール類；並びにそれ等の塩類が含まれる。
【００２３】
最も好ましい基は、カルボキシ、カルボキシアルキル、スルホ、スルホアルキル、スルホンアミド類、ホスフェート、ホスフェートアルキル、ホスホノ、ホスホノアルキル、カルボンアミド、スルホンアミド、ヒドロキシ、およびそれ等の塩類から選ばれる。最適な基は、カルボキシもしくはスルホ、およびそれ等の塩類である。
【００２４】
本発明では、水可溶化基が、処理浴に含まれる求核性試薬との反応の結果として処理時にブロック化基から芳香族環系が除かれることを可能にし、タイミング基を有するかもしくは有しない写真的活性成分を放出する。処理浴に含まれる求核性試薬には、処理浴中のいずれの求核性試薬も含まれ、亜硫酸イオン、オキシム類、ヒドロキシルアミン類、チオシアネート類、もしくはチオレート類が好ましく、より好ましくは、酸素もしくは窒素求核性試薬以外のイオンであり、最適なものは亜硫酸イオンである。亜硫酸イオンは、一般的に、現像浴、定着浴、コンディショナー浴、および漂白促進剤浴に存在する。亜硫酸イオンを、亜硫酸の塩類（亜硫酸ナトリウムもしくは亜硫酸カリウム等）；重亜硫酸の塩類（重亜硫酸ナトリウム、重亜硫酸カリウム、もしくはホルムアルデヒド−重亜硫酸ナトリウム等）；またはメタ重亜硫酸の塩類（メタ重亜硫酸ナトリウムもしくはメタ重亜硫酸カリウム等）から生じることができる。亜硫酸塩の濃度は、０．０００１〜２．０モル濃度の範囲、好ましくは０．０１〜１．０モル濃度の範囲となることができる。
【００２５】
写真要素において有効に役に立ついずれの基も、本発明の放出化合物に用いる写真的に活性成分となることができる。これらには、現像促進剤、現像抑制剤、漂白促進剤、漂白抑制剤、現像主薬（例えば、競争現像主薬もしくは補助現像主薬）、色素類、銀錯化剤、定着剤、トナー、硬膜剤、タンニング剤、カブリ剤、カブリ防止剤、汚染防止剤カプラーおよび安定化剤が含まれる。
【００２６】
このような写真的活性成分の例は、リサーチディスクロージャー（Research Disclosure ）、1989年12月、アイテム308119、VII-F 、I 、J 章；VIII；X ；XX；およびXXI に記載されている。
この写真的活性成分は、色素以外であることが好ましい。より好ましくは、現像抑制剤、現像促進剤もしくは漂白促進剤である。
【００２７】
写真的活性成分は、タイミング基もしくは芳香族環系に結合されているときは不活性である。これら二つの基から放出されたときだけ、写真的活性成分は、その意図する効果を発揮することができる。「不活性」の用語は、写真的活性成分が、その最終的に所望される効果を発揮しないことを意味する。しかし、他の副次的な写真効果は発揮してもよい。
【００２８】
好ましくは、写真的活性成分は、タイミング基もしくは芳香族環系に直接に結合することによってブロックされるヘテロ原子を含有する。放出化合物と処理浴に含まれる求核性試薬との反応時に、タイミング基（存在する場合）および芳香族環系が除かれると、写真的活性成分は、その意図する目的のために活性になる。
【００２９】
本発明の好ましい態様では、放出化合物は次の構造を有する：
【００３０】
【化１】
0003542662.tif 000002
【００３１】
［式中、Ｘは、芳香族環系を完成する原子を表わし；Ｒ1 は、電子求引性成分であり；ｍは、０、１、２もしくは３（２もしくは３が好ましい）であり；ＴＩＭＥは、タイミング基であり；ｎは、０、１、２もしくは３（０もしくは１が好ましい）であり；ＰＡＭは、写真的活性成分である］
そして、前記放出化合物は、カプラー部分以外のバラスト化基、および水可溶化基をさらに有し、前記バラスト化基は、直接または間接的にＴＩＭＥもしくはＸに結合されており、そして水可溶化基は、直接もしくは間接的にＴＩＭＥに結合されているか、または少なくとも一つの炭素原子を介して間接的にＸに結合されている。
【００３２】
好ましくは、Ｘは、置換もしくは非置換の炭素原子、または窒素原子（この環には４個以上の窒素原子は存在しない）からなる、５員もしくは６員の芳香族環を完成するのに必要な原子を表わす。この環が炭素環である場合（即ち、置換もしくは非置換の炭素原子からなる場合）、複素環もしくは他の炭素環と縮合していてもよい。この様に、Ｘが次の構造：
【００３３】
【化２】
0003542662.tif 000003
【００３４】
（式中、Ｚは、縮合複素環もしくは縮合炭素環を形成する原子を表わす）
を有する部分を表わすことができることが考えられる。これらの原子を更に置換することができ、そして追加の複素環もしくは炭素環と縮合することができる。記号「＊」は、Ｘと（ＴＩＭＥ）n −ＰＡＭとの結合点を示す。
電子求引性基は、例えば、F.A. CarnyおよびR.J. Sundberg のAdvanced Organic Chemistry、A 巻、179-190 頁（Plenum Press, New York 1984 ）に記載される、正のハメットシグマ値を表わす基である。これらの例には、ニトロ；ニトロソ；アジド；アゾ；シアノ；アリール−もしくはアルキル−スルホン類、スルホキシド類、およびケトン類；アリールオキシ−もしくはアルキルオキシ−カルボキシレートエステル類；スルホネートエステル類；ホスフェートエステル類；アリールアミノ−もしくはアルキルアミノ−カルボン酸アミド類；第三級置換したアルキルアミノ−もしくはアリールアミノ−スルホンアミド類；ハロゲン；フルオロアルキル；およびその他の類似の基が含まれる。本発明では、電子求引性基は、アルカリ性条件下で非イオン性であることが好ましい。
【００３５】
好ましくは、バラスト化基は、直接もしくは間接的にＸに結合されており、水可溶化基は、少なくとも一つの炭素原子を介して間接的にＸに結合されている。
さらにより好ましい態様では、放出化合物は次式から選ばれる：
【００３６】
【化３】
0003542662.tif 000004
【００３７】
［式中、Ｒ1 、ｍ、ｎ、ＴＩＭＥおよびＰＡＭは、上記定義のものであり、Ｒ2 は、バラスト化基を有する基であり、ｏは、１もしくは２（好ましくは１）であり、Ｒ3 は、水可溶化基を有する基であり、ｐは、１もしくは２（好ましくは１）であり、Ｒ4 は、バラスト化基および水可溶化基の両方を有する基であって、水可溶化基は、この可溶化基の一部分ではない、少なくとも一つ、好ましくは三つ、最適には五つの炭素原子を介して６員炭素環に結合しており、そしてｑは、１もしくは２（好ましくは１）である］
好ましくは、Ｒ4 は、それに結合する次の構造：
【００３８】
【化４】
0003542662.tif 000005
【００３９】
（式中、ＳＯＬは、水可溶化基であり、そしてＢＡＬＬは、バラスト化基である）
を有する芳香族基を有する。
最適には、本発明に用いる放出化合物は、次の構造を有する：
【００４０】
【化５】
0003542662.tif 000006
【００４１】
（式中、Ｒ1 、ｍ、ｎ、ＴＩＭＥおよびＰＡＭは、上記定義のものであり、そしてＲ4 は、次の構造を有する：
【００４２】
【化６】
0003542662.tif 000007
【００４３】
（式中、ＢＡＬＬは、バラスト化基であり、少なくとも炭素数６を有するものであるのが好ましく、そしてＳＯＬは、可溶化基である）
この場合、写真的活性成分（ＰＡＭ）が現像抑制剤であることが好ましい。理想的には、バラスト化基（ＢＡＬＬ）は、９以上の隣接する炭素原子を有する、置換もしくは非置換のアルキル鎖である。
ＳＯＬは、カルボキシ基であり、そしてＲ1 は、ニトロ基であり、ｍは２である。  本発明に用いる放出化合物の代表例を次表に表わす。
【００４４】
【表１】
0003542662.tif 000008
【００４５】
【表２】
0003542662.tif 000009
【００４６】
【表３】
0003542662.tif 000010
【００４７】
【表４】
0003542662.tif 000011
【００４８】
【表５】
0003542662.tif 000012
【００４９】
【表６】
0003542662.tif 000013
【００５０】
【表７】
0003542662.tif 000014
【００５１】
【表８】
0003542662.tif 000015
【００５２】
【表９】
0003542662.tif 000016
【００５３】
【表１０】
0003542662.tif 000017
【００５４】
【表１１】
0003542662.tif 000018
【００５５】
【表１２】
0003542662.tif 000019
【００５６】
【表１３】
0003542662.tif 000020
【００５７】
【表１４】
0003542662.tif 000021
【００５８】
【表１５】
0003542662.tif 000022
【００５９】
【表１６】
0003542662.tif 000023
【００６０】
【表１７】
0003542662.tif 000024
【００６１】
【表１８】
0003542662.tif 000025
【００６２】
【表１９】
0003542662.tif 000026
【００６３】
【表２０】
0003542662.tif 000027
【００６４】
本発明に用いる放出化合物の適切なレベルは、銀１モル当り約０．０２〜約２５ミリモルである。好ましいレベルは、銀１モル当り約０．０５〜約１５ミリモルである。
本発明に用いる放出化合物を、いずれの形態（即ち、立方、八面体、十二面体、球形、もしくは平板状）のハロゲン化銀粒子にも組込むことができる。しかし、本発明は２：１より大きい、好ましくは少なくとも５：１、最適には少なくとも７：１のアスペクト比を持つ平板状粒子を用いて実施するのが好ましい。本明細書で用いる「アスペクト比」の用語は、粒子厚に対する粒子の等価円直径の比を意味すると理解される。粒子の等価円直径とは、その粒子の投影面積と等しい面積を持つ円の直径である。
【００６５】
本発明の写真要素は、簡単な単一層要素もしくは多層、多色要素となることができる。多色要素は、可視光スペクトルの三原色領域のそれぞれに感度を有する色素画像形成ユニットを含む。それぞれのユニットは、単一の乳剤層もしくはスペクトルの所定の領域に感度を有する複数の乳剤層からなることができる。前記要素の層（画像生成ユニット層を含む）を、当該技術分野で公知の種々の順序に配置することができる。
【００６６】
典型的な多色写真要素は、それと組合わさる少なくとも一つのシアン色素生成カプラーを持つ少なくとも一つの赤感性ハロゲン化銀乳剤層を含むシアン色素画像生成ユニット、それと組合わさる少なくとも一つのマゼンタ色素生成カプラーを持つ少なくとも一つの緑感性ハロゲン化銀乳剤層を含むマゼンタ色素画像生成ユニット、およびそれと組合わさる少なくとも一つのイエロー色素生成カプラーを持つ少なくとも一つの青感性ハロゲン化銀乳剤層を含むイエロー色素画像生成ユニットを坦持する支持体を含んで成る。この要素は、フィルター層、中間層、上塗り層、下引き層等の追加の層を含むことができる。
【００６７】
また、この写真要素は、透明支持体の裏面の磁気粒子を含有する層のような透明磁気記録層を有することができる。磁気層は、米国特許第４，２７９，９４５号および同４，３０２，５２３号各明細書、並びにリサーチディスクロージャー、アイテム34390 、1992年11月、に記載されている。この要素は、典型的に、約５〜約３０μｍの合計厚（支持体を除く）を有する。
【００６８】
本発明の要素の使用に適した材料についての以下の検討については、英国ハンプシャー州Ｐ０１０  ７ＤＱ  エムスワース  １２ａノースストリートダッドレーアネックスにあるKenneth Mason Publications, Ltd.が発行しているリサーチディスクロージャー、1978年12月、アイテム17643 、および1989年12月、アイテム308119（以下、「リサーチディスクロージャー」と称する）を参照されたい。「リサーチディスクロージャー」の特定のセクションの表示は、上記の各リサーチディスクロージャーの適切なセクションに対応する。本発明の要素は、これらの刊行物およびそこに引用される刊行物に記載されている乳剤および添加剤を含むことができる。
【００６９】
本発明に用いるハロゲン化銀乳剤は、臭化銀、塩化銀、沃化銀、臭塩化銀、沃塩化銀、沃臭化銀、沃臭塩化銀もしくはそれらの混合物からなることができる。好ましくは、前記乳剤は、相対的に低レベルの沃化物（約７％未満、より好ましくは約４％未満のオーダー）を含有する。そのような乳剤が約２％未満の沃化物を含有することも考えられる。そのような乳剤は、欧州特許出願第２７１，０６１号明細書に開示されている。
【００７０】
これらの乳剤は、通常の形状もしくはサイズのいずれのハロゲン化銀粒子も含むことができる。即ち、これらの乳剤は、粗大な、中程度の、もしくは微細なハロゲン化銀粒子を含有することができる。高アスペクト比の平板状粒子乳剤が特に考えられる。例えば、米国特許第４，４３４，２２６号（Wilgus等）明細書、同４，４１４，３１０号（Daubendiek等）明細書、同４，３９９，２１５号（Wey ）明細書、同４，４３３，０４８号（Solberg 等）明細書、同４，３８６，１５６号（Mignot）明細書、同４，５０４，５７０号（Evans 等）明細書、同４，４００，４６３号（Maskasky）明細書、同４，４１４，３０６号（Wey 等）明細書、同４，４３５，５０１号および同４，６４３，９６６号（Maskasky）各明細書並びに同４，６７２，０２７号および同４，６９３，９６４号（Daubendiek等）各明細書に記載されている乳剤である。また、特に、英国特許第１，０２７，１４６号明細書；特開昭５４−４８５２１号；米国特許第４，３７９，８３７号、同４，４４４，８７７号、同４，６６５，０１２号、同４，６８６，１７８号、同４，５６５，７７８号、同４，７２８，６０２号、同４，６６８，６１４号および同４，６３６，４６１号並びに欧州特許第２６４，９５４号各明細書に記載されているような、粒子表面よりも粒子芯の沃化物モル比率が高い沃臭化銀粒子も考えられる。前記ハロゲン化銀乳剤は、沈澱物として単分散もしくは多分散のいずれにもなることができる。この乳剤の粒子サイズ分布を、ハロゲン化銀粒子分離技法もしくは異なる粒子サイズのハロゲン化銀乳剤を配合することによりコントロールすることができる。
【００７１】
銅、イリジウム、タリウム、鉛、ビスマス、カドミウムおよび第VIII族貴金属等のドーパントを、前記ハロゲン化銀の沈澱時に、単独もしくは組み合せて与えることができる。その他のドーパントには、米国特許第４，９８１，７８１号、同４，９３７，１８０号、同４，９３３，２７２号、同５，２５２，４５１号各明細書およびリサーチディスクロージャー、アイテム308119、セクションＩ〜Ｄ、に記載される遷移金属錯体が含まれる。
【００７２】
前記乳剤は、表面感受性乳剤（即ち、ハロゲン化銀粒子の主として表面に潜像を形成する乳剤）もしくは内部潜像形成乳剤（即ち、ハロゲン化銀粒子の主に内部に潜像を形成する乳剤）となることができる。この乳剤は、表面感受性乳剤もしくは未カブリ内部潜像形成乳剤等のネガ型乳剤となることができるが、現像を均一露光または核生成剤の存在下で行うときにポジ型である、未カブリの内部潜像形成型の直接陽画乳剤となることもできる。好ましくは、この要素は、リバーサル型の要素である。
【００７３】
このハロゲン化銀乳剤を、さらに、表面増感することができ、単独もしくは組み合せて用いる、貴金属（例えば、金）、中間カルコゲン（例えば、硫黄、セレン、もしくはテルル）および還元増感剤が特に考えられる。典型的な、化学増感剤は、上記リサーチディスクロージャー、アイテム308119、セクションIII に記載されている。
【００７４】
このハロゲン化銀乳剤を、シアニン類、メロシアニン類、錯化シアニン類および錯化メロシアニン類（即ち、トリ−テトラ−、および多核性シアニン類並びにメロシアニン類）、オキソノール類、ヘミオキソノール類、スチリル類、メロスチリル類、およびストレプトシアニン類を含むポリメチン色素クラス等の種々のクラスに由来する色素で分光増感することができる。具体的な分光増感色素は、リサーチディスクロージャー、アイテム308119、セクションIVに記載されている。
【００７５】
本発明の乳剤層および他の層に適したベヒクルは、リサーチディスクロージャー、アイテム308119、セクションIXおよびそこで引用される刊行物に記載されている。
本発明の要素は、リサーチディスクロージャー、セクションVII 、Ｄ、Ｅ、ＦおよびＧ節に記載されているカプラーを含むことができる。このカプラーを、リサーチディスクロージャー、セクションVII 、Ｃ節に記載されるように組込むことができる。また、リサーチディスクロージャー、アイテム308119、セクションVII 、Ｆ節に記載されている画像改良カプラーをさらに含有する要素も考えられる。そのような画像改良カプラーの具体例は、欧州特許第１９３３８９号明細書に開示されている。
【００７６】
本発明の写真要素は、蛍光増白剤（リサーチディスクロージャー、セクションV ）、メルカプトアゾール（例えば、１−（３−ウレイドフェニル）−５−メルカプトテトラゾール）、アゾリウム塩類（例えば、３−メチルベンゾチアゾリウムテトラフルオロボレート）、チオスルホネート塩類（例えば、ｐ−トルエンチオスルホネートカリウム塩）、テトラアザインデン類（例えば、４−ヒドロキシ−６−メチル−１，３，３ａ，７−テトラアザインデン）、およびリサーチディスクロージャー、セクションVIに記載されるもの等のカブリ防止剤および安定化剤、汚染防止剤および画像色素安定化剤（リサーチディスクロージャー、セクションVII 、ＩおよびＪ節）、光吸収剤および光散乱剤物質（リサーチディスクロージャー、セクションVIII）、硬膜剤（リサーチディスクロージャー、セクションＸ）、ポリアルキレンオキシドおよび米国特許第５，２３６，８１７号明細書に記載される他の界面活性剤、塗布助剤（リサーチディスクロージャー、セクションXI）、可塑剤および滑剤（リサーチディスクロージャー、セクションXII ）、帯電防止剤（リサーチディスクロージャー、セクションXIII）、艶消剤（リサーチディスクロージャー、セクションXII およびXVI ）並びに現像改良剤（リサーチディスクロージャー、セクションXXI ）を含むことができる。
【００７７】
この写真要素を、リサーチディスクロージャー、セクションXVIIに記載される種々の支持体に塗布することができる。
リサーチディスクロージャー、セクションXVIII に記載されるように、本発明の写真要素を化学線（一般的にスペクトルの可視領域）に露光して潜像を生成することができ、リサーチディスクロージャー、セクションXIX に記載されるように、その後処理して可視色素画像を形成することができる可視色素画像を形成する処理には、この要素を発色現像主薬と接触させて現像可能ハロゲン化銀を還元し、発色現像主薬を酸化する工程が含まれる。次に、酸化された発色現像主薬がカプラーと反応して色素を生成する。
【００７８】
好ましい発色現像主薬は、ｐ−フェニレンジアミン類である。とりわけ好ましい現像主薬は：４−アミノ−３−メチル−Ｎ，Ｎ−ジエチルアニリン塩酸塩、４−アミノ−３−メチル−Ｎ−エチル−Ｎ−（β−メタンスルホンアミドエチル）−アニリン硫酸塩水和物、４−アミノ−３−メチル−Ｎ−エチル−Ｎ−（β−ヒドロキシエチル）アニリン硫酸塩、４−アミノ−３−（β−メタンスルホンアミドエチル）−Ｎ，Ｎ−ジエチルアニリン塩酸塩および４−アミノ−Ｎ−エチル−Ｎ−（β−メトキシエチル）−ｍ−トルイジン  ジ−ｐ−トルエンスルホン酸である。
【００７９】
ネガ型ハロゲン化銀乳剤に関しては、記載した処理工程はネガ画像を与える。前記の要素は、例えば、British Journal of Photography Annual, 1988, 196-198頁に記載されている公知のＣ−４１カラー処理で処理することができる。ポジ（リバーサル）画像を提供するためには、発色現像工程の前に、非発色現像主薬で露光済みハロゲン化銀を現像する（色素は生成しない）現像を置き、そしてこの要素を均一にカブらせて未露光ハロゲン化銀を現像可能にする。本発明の要素のリバーサル処理は、公知のＫ−１４処理もしくはリサーチディスクロージャー、セクションXIX に記載および引用される公知のＥ−６処理に従って行うのが好ましい。あるいは、直接陽画乳剤を用いてポジ画像を得ることができる。
【００８０】
現像後、漂白、定着、もしくは漂白−定着し、銀もしくはハロゲン化銀を除去し、洗浄、そして乾燥する通常の工程を続ける。漂白、定着、もしくは漂白−定着工程を、チオールもしくはチオール官能性の前駆体を含んでなる漂白促進化合物の存在化で行うことも考えられる。これは、例えば、米国特許第３，８９３，８５８号、同４，７８０，４０３号、同４，７０７，４３４号および同４，９５２，４８８号に記載されている。
【００８１】
【実施例】
以下の例は、本発明に有用な放出化合物の合成を具体的に説明する。記載した合成図式は代表例であり、他の有用な放出化合物を得るために当業者によって変更されることができる。
【００８２】
【化７】
0003542662.tif 000028
【００８３】
化合物１の調製
中間体−３（Ｉ−３）の調製：塩化メチレン２５０ｍｌ中の５−クロロ−２，４−ジニトロベンゾイルクロライド（Ｉ−１、２４．６ｇ）を、Ｎ，Ｎ−ジメチルアニリン（３５ｍｌ）および塩化メチレン１００ｍｌ中のＩ−２（３７．９ｇ）の溶液を用いて、２０分かけて処理した。添加後、この混合物を室温で９０分攪拌した。この混合物を希塩酸で洗浄し、けいそう土で濾過し、乾燥して、真空中で濃縮した。生じたオイルをアセトニトリルで摩砕し、冷却し、濾過して、黄色の固形物（３７．５ｇ、６５％）としてＩ−３を得た。Ｉ−３は、クロマトグラフで均質であることがわかり、割り当てた構造と一致する分光分析特性を示した。
【００８４】
化合物１の調製：Ｉ−３（１０．１ｇ）と１−フェニル−１Ｈ−テトラゾール−５−チオレートナトリウム（Ｉ−４、５．２ｇ）の混合物を、テトラヒドロフラン１００ｍｌ中で、室温で２０分間攪拌した。酢酸エチルベースの抽出作用によりオイルを得た。塩化メチレン中で酢酸エチルの混合物を用いて溶離するシリカゲルクロマトグラフィーにより、粗製のオイルとしてエステルを得た。このオイルを酢酸９０ｍｌと濃塩酸１０ｍｌとの混合物中で９０分間８５〜９０℃で温めた。この混合物を水で希釈し、冷却し、濾過して固形物を集めた。塩化メチレン中で酢酸エチルの混合物を用いて溶離するシリカゲルクロマトグラフィーにより、オイルを得た。メタノールで摩砕すると、明黄色固形物（４．２３ｇ、３４％）として化合物１を与えた。この化合物は、クロマトグラフで均質であることがわかり、割り当てた構造と一致する分光分析特性を示した。燃焼分析実測（括弧内はＣ34Ｈ39Ｎ7 Ｏ8 Ｓの計算値）：Ｎ１３．８（１３．９）、Ｃ５７．９（５７．９）、Ｈ５．６（５．６）。
【００８５】
化合物１４の調製
化合物Ｉ−３を化合物１の調製で記載したように調製した。５０ｍｌテトラヒドロフラン中のＩ−３（４．３３ｇ）、４，５−ジクロロベンゾトリアゾール（１．４１ｇ）およびトリエチルアミン（１．２ｍｌ）の混合物を室温で３０分間攪拌し、その後１，１，３，３−テトラメチルグアニジン（１．０ｍｌ）を加えた。この混合物を室温で１５時間放置した後、水に注いだ。酢酸エチル抽出作用によりオイルを得て、酢酸８０ｍｌおよび濃塩酸２０ｍｌの混合物中で１００℃で９０分間加熱した。この混合物を水に注いだ。酢酸エチル抽出作用によりオイルを得た。キシレンをフラッシュオフ（５０ｍｌ、３回）してドライオイルを得た。酢酸エチル用いて溶離するシリカゲルクロマトグラフィー、エーテル／リグロイン摩砕すると、黄色固形物を与えた。１，２−ジクロロエタンから再結晶させて、黄色固形物（３．１５ｇ、５８．８％、ｍ．ｐ．１５７〜１５８℃）を得た。この物質は、クロマトグラフで均質であることがわかり、割り当てた構造と一致する分光分析特性を示した。燃焼分析実測（括弧内は４：１でＣ2 Ｈ4 Ｃｌ2 を含むＣ33Ｈ36Ｃｌ2 Ｎ6 Ｏ8 の計算値）：Ｎ１１．３（１１．４）、Ｃ５４．３（５４．３）、Ｈ５．０（５．０）。
【００８６】
化合物５４の調製
中間体−５（Ｉ−５）の調製：４−クロロ−５−ニトロフタルイミド（４．５３ｇ）、Ｎ，Ｎ−ジメチルアセトアミド（８０ｍｌ）、メチル１１−ヨードウンデカノエート（６．５２ｇ）および１，１，３，３−テトラメチルグアニジンの混合物を室温で１５分間、その後４０℃で１時間攪拌した。この混合物を室温まで冷却し、そして１，１，３，３−テトラメチルグアニジン（２．５ｍｌ）およびＩ−４（Ｎ−［３−（２，５−ジヒドロ−５−チオキソ−１Ｈ−テトラゾール−１−イル）フェニル］オクタンアミド）で処理し、３０分間攪拌した。追加の少量の１，１，３，３−テトラメチルグアニジンを加え、この混合物を最後に５分間攪拌した。この混合物を冷却した希塩酸および酢酸エチルに注ぎ、仕上げた。メタノール（２００ｍｌ）で摩砕した後、固形物（１１．９ｇ、８４．２％、ｍ．ｐ．１２６〜１２７℃）としてＩ−５  メチル１，１−（Ｎ−４−クロロ−５−ニトロフタルアミド）ウンデカノエートを生じた。この物質は、クロマトグラフで均質であることがわかり、割り当てた構造と一致する分光分析特性を示した。
【００８７】
化合物５４の調製：化合物Ｉ−５を酢酸８０および濃塩酸２０ｍｌ中で４０℃で４時間加熱した。この混合物を水８０ｍｌで希釈して冷却した。固形物を濾過して、空気乾燥し、アセトニトリルから再結晶させて黄色固形物（３．９ｇ、６６．０％、ｍ．ｐ．１３２〜１３３℃）として化合物５４を得た。この物質は、クロマトグラフで均質であることがわかり、割り当てた構造と一致する分光分析特性を示した。燃焼分析実測（括弧内はＣ34Ｈ43Ｎ7 Ｏ7 Ｓの計算値）：Ｎ１４．２（１４．１）、Ｃ５９．０（５８．９）、Ｈ６．２（６．２）。
【００８８】
本発明の実施を、下記の詳細な具体例に関して記載するが、本発明はこれらに限定されるものではない。
例１
化合物１および比較化合物Ｃ−１、Ｃ−２およびＣ−３を、Ｎ，Ｎ−ジエチルラウラミド中に分散（１：２）して、塗布して、次の写真要素を作成した。
0003542662.tif 000029
【００８９】
【化８】
0003542662.tif 000030
【００９０】
硬膜剤                （ＣＨ2 ＝ＣＨＳＯ2 ＣＨ2 ）2 Ｏ
【００９１】
【化９】
0003542662.tif 000031
【００９２】
この要素を、検査時間（０、２、４もしくは６分）で、Ｅ−６第一現像液に曝し、その後、停止浴、洗浄、定着浴、および最終洗浄を通して処理した。そして、標準較正ＨＰＬＣ抽出技法により残留する化合物１、Ｃ−１、Ｃ−２、もしくはＣ−３を検定した。
これらの試験データを表I に示す。これらのデータにより、非可溶化されたバラスト化化合物Ｃ−１（米国特許第５，３５４，６５０号明細書記載の化合物Ｂ−５）が、Ｅ−６第一現像液での処理時に、あったとしても非常にゆっくりと写真的活性成分を放出し、そしてバラスト化および可溶化した化合物１が、前記処理時に次第に分解されてブロックされてない写真的活性成分を最適な速度で提供することが説明される。可溶化されているがバラスト化されてない化合物Ｃ−２は、塗膜から流出したので、Ｅ−６処理をしていないときでも僅か５０％の化合物しか残っていなかった。Ｃ−３（米国特許第５，３５４，６５０号明細書記載の化合物Ｂ−７）は、二つのみの反復単位を持つポリエーテル基を含んでいた。従って、写真的活性成分を最適に放出するには水溶性が不十分であった。
【００９３】
0003542662.tif 000032
【００９４】
0003542662.tif 000033
これらの試験は、バラスト化および可溶化の両方が、二つの層特有の効果（即ち、放出化合物から流出しないこと、および最適な放出活性）を確実にするのに必要であることを実証する。
更に、別の可溶化位置の放出速度の影響を試験することにより、最適な放出活性を測定する。次の分光分析により測定されるように、放出定数に関して各化合物を比較した。数ミリリットルのテトラヒドロフランにこの化合物２５μモルを溶解した。そして酢酸で前もって酸性化してある還元した Triton （商標）X-100 （CAS No. 101013-07-4 ）３．０ｇを添加した。窒素流下で蒸発させてテトラヒドロフランを除去し、そしてミクロフィルターで濾過した水を加えて５０ｍｌの５×１０-4Ｍ溶液とした。さらに、０．２５ＭのＫ2 ＨＰＯ4、ｐＨ１１．０バッファを、窒素を通気して脱気し、０．２５ＭのＫ2 ＳＯ3 溶液を作成するのに用いた。
【００９５】
亜硫酸塩溶液２ｍｌおよび前記貯蔵液０．５ｍｌを、ピペットで攪拌しているキュベットに一緒に添加した。キュベットホルダーを、循環低温浴を用いて２６℃に維持した。そして、このキュベットをカバーして、３５０ｎｍでの吸光度を時間をかけて観察した。集められたこれらのデータは、一次速度プロフィールに適合した。
【００９６】
下記表IIは、化合物Ｃ−５、６２および６３の放出定数を記載する。
【００９７】
【化１０】
0003542662.tif 000034
【００９８】
0003542662.tif 000035
【００９９】
表IIのデータからわかるように、芳香族環系から離れて可溶化基を有する（即ち、少なくとも一つの炭素原子によって環系から分離されている）化合物６２および６３のような放出化合物が、非常に速い放出速度を示す。反対に、化合物Ｃ−５（米国特許第５，３５４，６５０号明細書記載の化合物Ｂ−９）の場合のように、芳香族環系に水可溶化基が直接結合している場合、写真的活性成分の放出は、不十分な速度で生じる。
【０１００】
例２
下引き層を持つ三酢酸セルロース支持体上に、下記の組成物を塗布して多層カラー写真感光材料（写真要素Ａ）を作成した。増感色素、および同一層内に存在するハロゲン化銀１モルに対するミリモル濃度で表わす本発明の放出化合物もしくは比較化合物以外は、用いた成分をｇ／ｍ2 で表わす。
【０１０１】
0003542662.tif 000036
【０１０２】
【化１１】
0003542662.tif 000037
【０１０３】
【化１２】
0003542662.tif 000038
【０１０４】
【化１３】
0003542662.tif 000039
【０１０５】
第５層に三種類のレベル（銀１モル当り０．３０、０．４５、および０．６０ミリモルの化合物）で化合物３２を混ぜて、更に三種類の塗膜を作成して、それぞれ写真要素Ｃ、Ｄ、およびＥとした。要素Ａと共にこれらの要素に、ステップ露光を与え、標準Ｅ−６処理を行った。二つの異なるスピードポイントでの相対スピードを測定し、表III に表わす。このデータは、特性曲線の種々のポイントでの写真スピードを、化合物３２の添加により変えることができ、放出化合物の量を増加するとより大きな効果が生じたことを、明かに示している。
【０１０６】
0003542662.tif 000040
【０１０７】
0003542662.tif 000041
【０１０８】
例３
層５に銀１モル当り０．３０ミリモルで化合物４および比較化合物Ｃ−６を塗布した以外は、例２のように写真要素を作成し、それぞれ写真要素ＦおよびＧとした。要素Ｂと共にこれらの要素に、ステップ露光を与え、第一現像での時間を４分〜１１分（標準処理では第一現像は６分である）に変えた以外は、標準Ｅ−６処理を行った。これらの要素の特性曲線の種々のポイントでのスピードおよびＤ−max を、前記の種々の現像時間で測定した。このデータを表IVに表わす。最初の三つは、対照要素Ｂ（短い処理時間）に比べて、放出化合物４（要素Ｆ）は特性曲線形状に関して極僅かの効果しか有しないが、比較化合物Ｃ−６（ブロックされてない抑制剤）（要素Ｇ）は、Ｄ−max およびスピードに関して非常に大きな有害な影響を生じている。次の三つは、時間を長くした第一現像（プッシュ処理）に基づいており、化合物４が、特性曲線形状に有効な影響を与えるその写真活性成分を放出したことを示している。Ｄ−max および写真スピードの両方が影響を受けるが、Ｄ−max の減少は対照の場合よりも遥かに小さい。１１分現像で要素Ｇは、比較化合物Ｃ−６による影響を相当受けているが、前述したように、それは短い処理時間の有害な影響の犠牲である。従って、本発明で用いる放出化合物は、通常の処理時間で写真特性に影響を与えること無しに、延長処理時間（即ち、プッシュ処理）中に写真特性を選択的にコントロールする手段を提供する。
【０１０９】
0003542662.tif 000042
【０１１０】
0003542662.tif 000043
【０１１１】
【化１４】
0003542662.tif 000044
【０１１２】
例４
本発明に用いる放出化合物は、それ等が層特有の活性を提供するときに最も有効である。従って、マゼンタ層に塗布する場合は、その写真的活性成分がその層で効果を発揮することが望ましい。上記ように、調製し、露光し、処理した写真要素ＢおよびＦを用いて、本発明で用いる放出化合物の層特有の活性を試験した。
【０１１３】
短縮および延長した処理時間のスピードおよびＤ−max に関する結果を表V に表わす。このデータは、例３に記載した効果が、放出化合物を塗布した記録（即ち、緑写真記録）において明白であり、他の記録（即ち、赤記録）では極小であることを説明する。放出化合物４のような化合物は、多層フィルムの一つのカラー記録において、望ましい一時的な効果を与える。
【０１１４】
0003542662.tif 000045
【０１１５】
0003542662.tif 000046
【０１１６】
【発明の効果】
本発明に用いる新規なブロックされた画像改良化合物は、画像改良の強度および位置を特異的にコントロールする機会を提供する。さらに、この化合物を脱ブロック化して現像抑制剤を生成すると、リバーサルフィルムのプッシュ処理を非常に良くコントロールすることができる。
【０１１７】
本発明の他の好ましい態様を次ぎに記載する。尚、態様１は請求項１と同じものである。
（態様１）その上に配置される少なくとも一層のハロゲン化銀乳剤層を有する支持体を含んでなる写真要素であって、前記要素が写真的活性成分の非像様分布を与える放出化合物を含み、前記放出化合物は前記写真的活性成分を放出するブロック化基を含み、前記放出化合物がカプラー部分以外のバラスト化基および水可溶化基をさらに含み、前記バラスト化基および前記水可溶化基の両方が前記ブロック化基に結合している写真要素。
（態様２）前記ブロック化基が、非置換もしくは一種以上の電子求引性基で置換された芳香族環系、および必要に応じて、写真的活性成分を放出するタイミング基もしくはタイミング基列を含む態様１に記載の写真要素。
（態様３）前記写真要素が、カラーリバーサルもしくは白黒写真要素である態様２に記載の写真要素。
（態様４）前記水可溶化基が、直接もしくは間接的にタイミング基に結合されているか、または少なくとも一つの炭素原子を介して間接的に前記芳香族環系に結合されている態様２に記載の写真要素。
（態様５）前記写真的活性成分の活性感応性が、前記タイミング基もしくは芳香族環系への直接結合によりブロックされているヘテロ原子である態様４に記載の写真要素。
（態様６）処理浴に含まれている求核性試薬との反応の結果として、前記芳香族環系がブロック化基から除かれて、処理時に、タイミング基を有するかもしくはタイミング基を有しない写真的活性成分を放出することができる態様５に記載の写真要素。
（態様７）前記放出化合物が、次の構造を有し：
【０１１８】
【化１５】
0003542662.tif 000047
【０１１９】
［式中、Ｘは、芳香族環系を完成する原子を表わし；Ｒ1 は、電子求引性成分であり；ｍは、０、１、２もしくは３であり；ＴＩＭＥは、タイミング基であり；ｎは、０、１、２もしくは３であり；ＰＡＭは、写真的活性成分である］
そして、前記放出化合物が、カプラー部分以外のバラスト化基、および水可溶化基をさらに有し、前記バラスト化基は、直接または間接的にＴＩＭＥもしくはＸに結合されており、そして前記水可溶化基は、直接もしくは間接的にＴＩＭＥに結合されているか、または少なくとも一つの炭素原子を介して間接的にＸに結合されている、態様５に記載の写真要素。
（態様８）Ｘが、置換もしくは非置換の炭素原子、もしくは前記環に存在する窒素原子が３個以下である窒素原子を含む５員もしくは６員の芳香族環を表わす態様７に記載の写真要素。
（態様９）前記バラスト基が、直接もしくは間接的にＸに結合されており、前記水可溶化基が少なくとも一つの炭素原子を介して間接的にＸに結合されている態様８に記載の写真要素。
（態様１０）放出化合物が、次式：
【０１２０】
【化１６】
0003542662.tif 000048
【０１２１】
［式中、Ｒ1 、ｍ、ｎ、ＴＩＭＥおよびＰＡＭは、態様７に定義されるものであり、Ｒ2 は、バラスト化基を有する基であり、ｏは、１もしくは２であり、Ｒ3 は、水可溶化基を有する基であり、ｐは、１もしくは２であり、Ｒ4 は、バラスト化基および水可溶化基の両方を有する基であって、前記水可溶化基は、少なくとも一つの炭素原子を介して６員炭素環に結合されており、そしてｑは、１もしくは２である］
から選ばれる態様９に記載の写真要素。
（態様１１）Ｒ4 が、それに結合する次の構造：
【０１２２】
【化１７】
0003542662.tif 000049
【０１２３】
（式中、ＳＯＬは、水可溶化基であり、そしてＢＡＬＬは、バラスト化基である）
を有する置換もしくは非置換の芳香族基を含む態様１０に記載の写真要素。
（態様１２）放出化合物が、次の構造：
【０１２４】
【化１８】
0003542662.tif 000050
【０１２５】
［式中、Ｒ1 、ｍ、ｎ、ＴＩＭＥおよびＰＡＭは、態様７に定義するものであり、そしてＲ4 は、次の構造：
【０１２６】
【化１９】
0003542662.tif 000051
【０１２７】
（式中、ＢＡＬＬは、置換もしくは非置換のバラスト化基であり、そしてＳＯＬは、可溶化基である）によって表わされる］
を有する態様１１に記載の写真要素。
（態様１３）ＰＡＭが、現像促進剤、現像抑制剤、漂白促進剤、漂白抑制剤、および現像主薬から選ばれる態様１２に記載の写真要素。
（態様１４）前記放出化合物が、次式：
【０１２８】
【化２０】
0003542662.tif 000052
【０１２９】
（式中、ＰＡＭは、態様１３に記載するものである）
である態様１３に記載の写真要素。